(57)【特許請求の範囲】
【請求項１】
平板状の天板本体と、天板本体の上面の前縁部、左右両側縁部及び後縁部を覆う前辺部、左右両側辺部及び後辺部を有する額縁状の板金製外枠とを備えるコンロ用天板であって、外枠後辺部の天板本体よりも後方に位置する部分に、コンロに設けられるグリルの排気筒が臨む排気口が開設されるものにおいて、
外枠後辺部の排気口の前縁部上面に当接する上片部と、天板本体の後部下面に当接する下片部と、排気口内で上片部と下片部とを連結する後端の折返し部とを有するバネ材から成る係止具を備え、当該係止具により天板本体と外枠後辺部とが挟持されることを特徴とするコンロ用天板。
【請求項２】
前記外枠後辺部に、前記排気口の前縁で下方に折返された折返し縁部が設けられ、前記下片部に、折返し縁部の前端に係合して前記係止具を抜け止めする爪部が設けられることを特徴とする請求項１記載のコンロ用天板。
【請求項３】
請求項１又は２記載のコンロ用天板であって、前記係止具が前記排気筒への前記折返し部の当接で抜け止めされることを特徴とするコンロ用天板。
【発明の詳細な説明】
【技術分野】
【０００１】
本発明は、平板状の天板本体と、天板本体の上面の前縁部、左右両側縁部及び後縁部を覆う前辺部、左右両側辺部及び後辺部を有する額縁状の板金製外枠とを備えるコンロ用天板に関する。
【背景技術】
【０００２】
この種のコンロ用天板であって、外枠後辺部の天板本体よりも後方に位置する部分に、コンロに設けられるグリルの排気筒が臨む排気口を開設したものでは、外枠後辺部が排気筒からの熱影響で上方に反るように変形し、外枠後辺部と天板主体との間に隙間を生じてしまうことがある。
【０００３】
かかる不具合を防止するため、従来、外枠後辺部の下面にブラケットを取付け、このブラケットに、天板主体の後部下面に当接する押え板を下方からネジ止めしたものが知られている（例えば、特許文献１参照）。これによれば、押え板とブラケットとを介して外枠後辺部に下方への押し付け力が作用し、外枠後辺部が上方に反るように変形することを防止できる。
【０００４】
ここで、外枠後辺部の下面に押え板を直接ネジ止めすることも考えられるが、これではネジが外枠後辺部の上面に露出して体裁を損なう。そこで、上記従来例では、外枠後辺部の下面に取付けたブラケットに押え板をネジ止めして、ネジが外枠後辺部の上面に露出しないようにしているのである。然し、これでは、ブラケットの分だけ部品点数が増加して、コストアップを招いてしまう。
【先行技術文献】
【特許文献】
【０００５】
【特許文献１】特開２００６−１７３５１号公報
【発明の概要】
【発明が解決しようとする課題】
【０００６】
本発明は、以上の点に鑑み、外枠後辺部が上方に反るように変形することを防止して、且つ、コストダウンを図ることができるようにしたコンロ用天板を提供することをその課題としている。
【課題を解決するための手段】
【０００７】
上記課題を解決するために、本発明は、平板状の天板本体と、天板本体の上面の前縁部、左右両側縁部及び後縁部を覆う前辺部、左右両側辺部及び後辺部を有する額縁状の板金製外枠とを備えるコンロ用天板であって、外枠後辺部の天板本体よりも後方に位置する部分に、コンロに組み込まれるグリルの排気筒が臨む排気口が開設されるものにおいて、外枠後辺部の排気口の前縁部上面に当接する上片部と、天板本体の後部下面に当接する下片部と、排気口内で上片部と下片部とを連結する後端の折返し部とを有するバネ材から成る係止具を備え、当該係止具により天板本体と外枠後辺部とが挟持されることを特徴とする。
【０００８】
本発明によれば、係止具により天板本体と外枠後辺部とが挟持されるため、天板本体に対し外枠後辺部が上方に反るように変形することが防止され、外枠後辺部と天板本体との間に隙間は生じない。そして、係止具を付加するだけであるため、ブラケットと押え板とが必要になる上記従来例のものに比し、部品点数を削減してコストダウンを図ることができる。尚、一般的に、外枠後辺部には、排気口を覆う排気ガードが載置されるため、係止具は排気ガードで目隠しされて外観に現れず、体裁を損なうことはない。
【０００９】
また、本発明においては、外枠後辺部に、排気口の前縁で下方に折返された折返し縁部が設けられ、係止具の下片部に、折返し縁部の前端に係合して係止具を抜け止めする爪部が設けられることが望ましい。更に、係止具が排気筒への折返し部の当接で抜け止めされるようにしてもよい。これにより、係止具が脱落して、外枠後辺部の変形防止の効果が得られなくなることを回避できる。
【図面の簡単な説明】
【００１０】
【図１】本発明の実施形態のコンロ用天板を具備するコンロの斜視図。
【図２】図１のコンロの平面図。
【図３】図２のＩＩＩ−ＩＩＩ線で切断した拡大断面図。
【図４】実施形態のコンロ用天板の要部の分解状態の斜視図。
【発明を実施するための形態】
【００１１】
図１は、コンロ本体１と、コンロ本体１の上面を覆う本発明の実施形態のコンロ用天板２とを備えるコンロを示している。コンロ本体１には、コンロ用天板２の左右２箇所に介設したバーナ用開口を通して天板２上に露出する左右２個のコンロバーナ３，３と、コンロ本体１の横方向中央部のグリル４とが設けられている。
【００１２】
図２乃至図４も参照して、コンロ用天板２は、金属厚板やガラス板から成る天板本体２１と、天板本体２１の上面の前縁部、左右両側縁部及び後縁部を覆う前辺部２２１、左右両側辺部２２２，２２２及び後辺部２２３を有する額縁状のプレス成形された板金製外枠２２とを備えている。天板本体２１の前縁部と左右両側縁部は、図示しないが、コンロ本体１の前面板部と左右両側板部の上端に形成した内曲げフランジの複数個所に取付けたパッキンに着座している。また、外枠２２の前辺部２２１、左右両側辺部２２２，２２２及び後辺部２２３は、天板本体２１の上面の前縁部、左右両側縁部及び後縁部にコーキング剤２２４（図３参照）で接着されている。
【００１３】
ここで、外枠後辺部２２３は天板本体２１の後方に幅広く張出している。そして、外枠後辺部２２３の天板本体２２１よりも後方に位置する部分に、グリル４の排気筒４１が臨む排気口２２５が開設されている。また、外枠後辺部２２３上に、排気口２２５を覆う網状の排気ガード２３を載置している。
【００１４】
ところで、外枠後辺部２２３には、排気筒４１からの熱影響で熱応力が作用する。そのため、このままでは、外枠後辺部２２３が天板本体２１に対しコーキング剤２２４による接着力に抗して上方に反るように変形し、外枠後辺部２２３と天板主体２１との間に隙間を生じてしまうことがある。
【００１５】
そこで、本実施形態では、外枠後辺部２２３の排気口２２５の前縁部上面に当接する上片部２４１と、天板本体２１の後部下面に当接する下片部２４２と、排気口２２５内で上片部２４１と下片部２４２とを連結する後端の折返し部２４３とを有するバネ材から成る係止具２４を設けて、この係止具２４により天板本体２１と外枠後辺部２２３とが挟持されるようにしている。尚、係止具２４は、排気口２２５の左右の両端部寄りに位置させて左右一対に設けられている。
【００１６】
本実施形態によれば、係止具２４の挟持力により天板本体２１に対し外枠後辺部２２３が上方に反るように変形することが防止され、外枠後辺部２２３と天板本体２１との間に隙間は生じない。そして、係止具２４を付加するだけであるため、部品点数の増加を抑えてコストダウンを図ることができる。更に、係止具２４は、排気ガード２３で目隠しされて外観に現れず、体裁を損なうことはない。
【００１７】
また、本実施形態では、外枠後辺部２２３に、排気口２２５の前縁で下方に折り返された折返し縁部２２６が設けられている。そして、係止具２４の下片部２４２に、折返し縁部２２６の前端に向けて斜め後上方に立上る左右一対の爪部２４４を設けている。爪部２４４と折返し縁部２２６との間には若干の隙間が空いているが、係止具２４の後方へのずれで上片部２４１が排気口２２５の前縁部上面から離脱する前に、爪部２４４が折返し縁部２２６の前端に係合して、係止具２４が抜け止めされる。
【００１８】
ところで、排気筒４１の上端は、排気口２２５の若干下方に位置していてもよいが、本実施形態では、排気筒４１の上端を排気口２２５を通してその上方に少許突出させている。そして、爪部２４４がその加工誤差で折返し縁部２２６の前端に係合しなくても、係止具２４の折返し部２４３が排気筒４２に当接して、係止具２４が抜け止めされるようにしている。何れにしても、係止具２４が抜け止めされることにより、係止具２４の脱落で外枠後辺部２２３の変形防止の効果が得られなくなることを回避できる。
【００１９】
尚、コンロ用天板２をコンロ本体１上に載置していない状態では、係止具２４を排気筒４１で抜け止めすることはできない。そのため、コンロ用天板２をコンロ本体１上に載置していない状態で係止具２４を抜け止めするには、下片部２４２に爪部２４４を設けることが必要である。
【００２０】
以上、本発明の実施形態について図面を参照して説明したが、本発明はこれに限定されない。例えば、上記実施形態では、係止具２４を左右一対に設けているが、比較的幅広の係止具を１個だけ設けることも可能である。
【符号の説明】
【００２１】
２…コンロ用天板、２１…天板本体、２２…外枠、２２１…前辺部、２２２…側辺部、２２３…後辺部、２２５…排気口、２２６…折返し縁部、２４…係止具、２４１…上片部、２４２…下片部、２４３…折返し部、２４４…爪部、４…グリル、４１…排気筒。
【図１】
0006605993.tif 000002
【図２】
0006605993.tif 000003
【図３】
0006605993.tif 000004
【図４】
0006605993.tif 000005